(57)【特許請求の範囲】
【請求項１】
多量サンプルを少量サンプルに分注するための分注器のノズルに着脱使用するチップを入れる専用折畳ラックに関し、押し潰し操作で底が折畳の状態となり同操作の逆順操作で底が組立の状態となる形式の紙製外筐部形成板と、天面板における碁盤目の交点個所に分注チップの差込み置き用孔形成部を設け且つ同天面板の外周縁に折曲線を介して立脚板を連設した紙製中筐部形成板と、縦・横側リブ片を格子状の配置に組んだ上記の天面板を下から支える紙製補強リブ部材と、外筐部形成板の組み立て状態物を被覆する折畳自在の紙製外被部材とから成る分注器用チップの専用折畳ラック。
【請求項２】
請求項１に係る分注器用チップの専用折畳ラックにおいて、外筐部形成板の組み立て状態物の内底面に敷設する中敷片をもつ分注器用チップの専用折畳ラック。
【請求項３】
請求項１または２に係る分注器用チップの専用折畳ラックにおいて、差込み置き用孔が所定の大きさ以上の外力を受けたときに切れる切取り線で形成され且つ当該切取り線の両端間に同外力では切れない切取り線無し個所が設けられたことを特徴とする分注器用チップの専用折畳ラック。
【請求項４】
請求項１または２に係る分注器用チップの専用折畳ラックにおいて、外筐部形成板、中筐部形成板、補強リブ部材および外被部材もしくは中敷片が撥水紙製であることを特徴とする分注器用チップの専用折畳ラック。
【発明の詳細な説明】
【０００１】
【発明が属する技術分野】
本発明は、１回の操作で吸入した多量のサンブルをマイクロリッター単位で少量サンプルに分注するために用いられている分注器の分注ノズルに対して着脱使用するチップを包装・格納・搬送するための分注器用チップの、専用折畳ラックに関する。
【０００２】
【従来の技術】
従来汎用されているこの種の分注器用チップの専用ラックは、プラスチック製で、廃棄処分（焼却処分）の際に例えば公害問題、環境汚染問題等を惹起し、また折畳自在な構成にはなっていないために搬送、保管の際に嵩張って不便であるという欠陥があった。
【０００３】
【発明が解決しようとする課題】
本発明は、上記の欠陥を一挙に解消する工夫およびその他の工夫を施した、新規の分注器用チップの専用折畳ラックを提供することを目的とする。
【０００４】
【課題を解決するための手段】
上記目的を達成するために本発明の請求項１に係る分注器用チップの専用折畳ラックは、
【０００５】
多量サンプルを少量サンプルに分注するための分注器のノズルに着脱使用するチップを入れる専用折畳ラックに関し、押し潰し操作で底が折畳の状態となり同操作の逆順操作で底ができる形式の紙製外筐部形成板と、天面板における碁盤目の交点個所に分注チップの差込み置き用孔形成部を設け且つ同天面板の外周縁に折曲線を介して立脚板を連設した紙製中筐部形成板と、縦・横側リブ片を格子状の配置に組んだ上記の天面板を下から支える紙製補強リブ部材と、外筐部形成板の組み立て状態物を被覆する折畳自在の紙製外被部材とから成るものであり、
【０００６】
そして、請求項２に係る分注器用チップの専用折畳ラックは、外筐部形成板の組み立て状態物の内底面に敷設する中敷片をもつものであり、
【０００７】
また、請求項３に係る分注器用チップの専用折畳ラックは、差込み置き用孔が所定の大きさ以上の外力を受けたときに切れる切取り線で形成され且つ当該切取り線の両端間に同外力では切れない切取り線無し個所が設けられたものであり、
【０００８】
同じく、請求項４に係る分注器用チップの専用折畳ラックは、外筐部形成板、中筐部形成板、補強リブ部材および外被部材もしくは中敷片が撥水紙製であることを特徴とするものである。
【０００９】
【実施例】
図に示す実施例は、厚紙製前面板１ の左右両端縁に折曲自在線２ を介して左面板３および右面板４を、また左面板３の後側縁に折曲自在線５を介して後面板６を、更に前面板１ 、左面板３ 、右面板４および後面板５の下縁に折曲自在線７を介して底前方形成板８、底左方形成板９、底右方形成板１０および底後方形成板１１を夫々一体に連設すると共に後面板６の左側縁と右面板４の後側縁とを糊付片１２による貼着によって連結して胴部１３を形成し、また底前方形成板８の右側縁および底後方形成板１１の左側縁に三角形耳板１４、１５を折曲自在線１６、１７を介して一体に連設すると共にこれ等三角形耳板１４、１５を底左方形成板９および底右方形成板１０に重ねて貼着し、よって底部を内方押し込み乍ら両側から押し潰すことで底の折畳みが自動的にできまた反対に両外側へ引くことで底の組立が自動的にできる紙製外筐部形成板１８を構成する。
【００１０】
また、上記外筐１８とは別個に、この外筐の内底面の広さと同じサイズの紙製中敷片２０を構成する。
【００１１】
また、これ等外筐部形成板１８、中敷片２０とは別個に、厚紙製天面板２２の前後左右側縁に折曲自在線２３，２４、２５、２６を介して上記の外筐部形成板１８の深さよりも僅かに低い高さの前側立脚板２７、後側立脚板２８、左側立脚板２９および右側立脚板３０をそれぞれ連設し、よって伸展自在且つ組立自在の中筐部形成板３１を構成すると共に上記天面板２２における碁盤目の交点を中心とする所定の半径の円線上個所に人為的外力を加えたときに切れる切取り線３２を、当該切取り線３２の両端間に僅かに離れた不連続の切取り線無し個所３３を残して切設することによってコーン型チップ５０の差込み置き用孔形成部３４を設ける。
【００１２】
更に、これ等外筐部形成板１８、中敷片２０、中筐部形成板３１とは別個に、次に述べる複数枚の縦・横側リブ片３５、３６を格子状の配置に組んで上記の天面板２２を下から支える補強リブ部材３７を構成する。
【００１３】
縦側リブ片３５は、その横側リブ片３６との交差線の両端に上・下側切込３８、３９が設けられ、横側リブ片３６は、その縦側リブ３５との交差線の中央個所に同縦側リブ片３５における上・下側切込３８、３９間部分４０の通し用長孔４１が設けられ且つ当該通し用長孔４１の切縁に上・下側切込３８、３９間部分４０の導入用切込４２が設けられているものであって、当該導入用切込４２を利用して通し用長孔４１に上・下側切込３８、３９間部分４０を通した状態とする要領で補強リブ部材３７を構成するようにしてあるものある。
【００１４】
また、これ等外筐部形成板１８、中敷片２０、中筐部形成板３１、補強リブ部材３７とは別個に、外筐部形成板１８の組み立て状態時の外周径と同じ内周径の筒形状で且つ稜線に折曲自在線４３を設けた折畳自在の角型紙製外被部材４４を構成する。
【００１５】
上記の外筐部形成板１８、中敷片２０、中筐部形成板３１、補強リブ部材３７および外被部材４４は、これ等を例えば次のように組み立てて完成する。すなわち、先ず、底部を内方へ押し込み乍ら両側から押し潰すことで底の折畳みが自動的にできている状態の外筐部形成板１８を、当該自動折畳み操作を反対に両外側へ引くことで底を自動的に組み立てることによって外筐４５を構成し、この外筐４５の中に中敷片２０を投入してこれを内底面に敷くと共に当該外筐４５内に補強リブ部材３７を挿入することによって同外筐４５の保形性および堅牢性を確保し、然るのち外筐４５の外周壁と補強リブ部材３７の外周との間に中筐部形成板３１の前側立脚板２７、後側立脚板２８、左側立脚板２９および右側立脚板３０をを上から差し込み入れて同中筐部形成板３１の天面板２２を補強リブ部材３７上に載架し、この載架後に当該外筐４５に外被部材４４を被せ嵌め、これをユーザーに提供する。
【００１６】
ユーザーは、これを図に示すように、外被部材４４を抜き外してから中筐部形成板３１の天面板２２に設けられた各差込み置き用孔形成部３３にコーン型チップ５０の先端を強く押し当てて同部３３を突き破ることによって装填し、この装填後に外被部材４４を被せ戻してコーン型チップ５０のユーザーに提供する。
【００１７】
そして、コーン型チップ５０のユーザーは、外被部材４４を抜き外した後に図に示すように、コーン型チップ５０の装填状態のままで当該コーン型チップ５０に例えば後述するような８ウェル同時定量分注器５１の分注ノズル５２をやや強く差し込み、その後に分注器５１を引き上げ、よって分注ノズル５２の先端にコーン型チップ５０を差し嵌め止めた状態を確保する。
【００１８】
このようにして、本発明に係る分注器用チップの専用折畳ラックは、空になったところでこれを焼却廃棄する。もしくは分注器用チップ入りのまま、あるいは空にしてガンマー線、熱気加熱等で消毒したり、撥水性紙製のものの場合には蒸気で消毒したりして再利用する。
【００１９】
本発明は、全体を撥水紙、再生紙で製造したり、補強リブ部材３７の格子の数を増やしてより堅牢にしたり減らして軽量化したり、天面板２２に設けた差込み置き用孔形成部３３に単に丸孔をあけて差込み置き用孔を設けたり、当該丸孔および切取り線３２を多角形としたり、中敷片２０無しで構成したり、する等して実施することができる。
【００２０】
尚、図に示す分注器は、容量微量調整機構およびロック機構付きであり、使用後にワンタッチで使い捨てチップのエジェクトが可能で且つオートクレープの可能なデジタル形式の８ウェル同時定量分注器であって、コントロールボタンで、容量選択、サンプルの吸引、排出、チップの廃棄までが可能なものであり、寒天培地や添加物のペトリ皿、試験管、ビン等細いチューブ内への無菌、定量の高速分注が可能なものであり、吸引の際のサンプル液の接触はチップ内だけで本体は汚染されなく、フィルターを使用して本体への吸込みをカットするようにしてあるものである。
【００２１】
【発明の効果】
請求項１に係る分注器用チップの専用折畳ラックは、上記のように押し潰し操作で底が折畳の状態となり同操作の逆順操作で底が組立の状態となる形式の紙製外筐部形成板と、天面板に分注チップの差込み置き用孔形成部を整列状態で設け且つ同天面板の外周縁に折曲線を介して立脚板を連設した紙製中筐部形成板と、縦・横側リブ片を格子状の配置に組んだ上記の天面板を下から支える紙製補強リブ部材と、から成る全体が紙製のものであるので、廃棄処分（焼却処分）において例えば有毒ガス発生等による公害問題、環境汚染問題を惹起しないものであるり、また折畳自在な構成であるので搬送、保管時には嵩張らないコンパクトな状態にできる便利さがあるものである。
【００２２】
請求項２に係る分注器用チップの専用折畳ラックは、押し潰し操作で底が折畳の状態となり同操作の逆順操作で底が底が組立の状態となる形式の紙製外筐部形成板と、天面板における碁盤目の交点個所に分注チップの差込み置き用孔形成部を設け且つ同天面板の外周縁に折曲線を介して立脚板を連設した紙製中筐部形成板と、縦・横側リブ片を格子状の配置に組んだ上記の天面板を下から支える紙製補強リブ部材と、外筐部形成板の組み立て状態物を被覆する折畳自在の紙製外被部材とから成る全体が紙製のものであるので、請求項１に係る分注器用チップの専用折畳ラックと同様に有毒ガス発生等による公害問題、環境汚染問題を惹起しなく且つ搬送、保管時には嵩張らない便利さがあり、しかも外被部材付きであるので衛生的で搬送、保管等に好都合なものである。
【００２３】
請求項３に係る分注器用チップの専用折畳ラックは、外筐部形成板の組み立て状態物の内底面に敷設する中敷片を敷設したので、当該外筐部形成板の組み立て状態の維持すなわち保形性がよく堅牢なものである。
【００２４】
請求項４に係る分注器用チップの専用折畳ラックは、差込み置き用孔が所定の大きさ以上の外力を受けたときに切れる切取り線で形成され且つ当該切取り線の両端間に同外力では切れない切取り線無し個所が設けられたので、ユーザーが中筐部形成板の天面板に設けられた各差込み置き用孔形成部にコーン型チップの先端を強く押し当てて同部を突き破る操作を加えたときには、切取り線により囲繞された不要部分が切取り線無し個所によって繋がった状態となって離れ落ちなく始末のよい利点があるものである。
【００２５】
請求項５に係る分注器用チップの専用折畳ラックは、外筐部形成板、中筐部形成板、補強リブ部材および外被部材もしくは中敷片が撥水紙製であるので、蒸気によるオートクレープが可能で、繰り返し利用ができる等の実用的効果を有するものである。
【図面の簡単な説明】
【図１】  本発明の実施例を示す分解斜視図である。
【図２】  完成品の斜視図である。
【図３】  図２ＡーＡ線に沿う断面図である。
【図４】  外被部材を外した状態の斜視図である。
【図５】  使用の状態を示す断面略図である。
【図６】  外筐部形成板の展開図である。
【図７】  外筐を畳み状態で示す平面図である
【図８】  中筐部形成板の展開である。
【図９】  中筐部形成板における差込み置き用孔形成部の拡大平面図である。
【図１０】  図９ＢーＢ線に沿う断面図である。
【図１１】  補強リブ部材を畳み状態で示す平面図である
【図１２】  縦側リブ片の正面図である。
【図１３】  横側リブ片の正面図である。
【符号の説明】
１  前面板
２  折曲自在線
３  左面板
４  右面板
５  折曲自在線
６  後面板
７  折曲自在線
８  底前方形成板
９  底左方形成板
１０  底右方形成板
１１  底後方形成板
１２  糊付片
１３  胴部
１４、１５  三角形耳板
１６、１７  折曲自在線
１８  外筐部形成板
２０  中敷片
２２  天面板
２３、２４、２５、２６  折曲自在線
２７  前側立脚板
２８  後側立脚板
２９  左側立脚板
３０  右側立脚板
３１  中筐部形成板
３２  切取り線
３３  切取り線無し個所
３４  差込み置き用孔形成部
３５  縦側リブ片
３６  横側リブ片
３７  補強リブ部材
３８  上側切込
３９  下側切込
４０  間部分
４１  通し用長孔
４２  導入用切込
４３  折曲自在線
４４  外被部材
４５  外筐
５０  コーン型チップ
５１  分注器
５２  分注ノズル
【図１】
0003671275.tif 000002
【図２】
0003671275.tif 000003
【図３】
0003671275.tif 000004
【図４】
0003671275.tif 000005
【図５】
0003671275.tif 000006
【図６】
0003671275.tif 000007
【図７】
0003671275.tif 000008
【図８】
0003671275.tif 000009
【図９】
0003671275.tif 000010
【図１０】
0003671275.tif 000011
【図１１】
0003671275.tif 000012
【図１２】
0003671275.tif 000013
【図１３】
0003671275.tif 000014